(57)【特許請求の範囲】
【請求項１】
見開きの状態としたときに左ページ側の左ページ側用紙には左側筆記領域が形成されるとともに右ページ側の右ページ側用紙には右側筆記領域が形成され、かつ、前記左側筆記領域及び右側筆記領域のうちの少なくとも前記左側筆記領域には横書き用の罫線を有する筆記用紙であって、
前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、
前記右ページ側用紙は、当該右ページ側用紙の上端辺と下端辺とが平行で前記上端辺の長さが前記下端辺よりも長く形成され、かつ、前記ページ境界線から斜め右下がり方向に形成され、
前記罫線は、直線で形成され、かつ、前記ページ境界線から斜め左下がり方向に設けられていることを特徴とする筆記用紙。
【請求項２】
見開きの状態としたときに左ページ側の左ページ側用紙には左側筆記領域が形成されるとともに右ページ側の右ページ側用紙には右側筆記領域が形成され、かつ、前記左側筆記領域及び右側筆記領域のうちの少なくとも前記右側筆記領域には横書き用の罫線を有する筆記用紙であって、
前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、
前記右ページ側用紙は、当該右ページ側用紙の上端辺と下端辺とが平行で前記上端辺の長さが前記下端辺よりも長く形成され、かつ、前記ページ境界線から斜め右下がり方向に形成され、
前記罫線は、直線で形成され、かつ、前記ページ境界線から斜め右下がり方向に設けられていることを特徴とする筆記用紙。
【請求項３】
見開きの状態としたときに左ページ側の左ページ側用紙には左側筆記領域が形成されるとともに右ページ側の右ページ側用紙には右側筆記領域が形成され、かつ、前記左側筆記領域及び右側筆記領域の両方には横書き用の罫線を有する筆記用紙であって、
前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、
前記右ページ側用紙は、当該右ページ側用紙の上端辺と下端辺とが平行で前記上端辺の長さが前記下端辺よりも長く形成され、かつ、前記ページ境界線から斜め右下がり方向に形成され、
前記罫線は、直線で形成され、かつ、前記左側筆記領域においては前記ページ境界線から斜め左下がり方向に設けられ、前記右側筆記領域においては前記ページ境界線から斜め右下がり方向に設けられていることを特徴とする筆記用紙。
【請求項４】
請求項１〜３のいずれかに記載の筆記用紙において、
前記罫線は、当該罫線と前記ページ境界線とのなす角度のうちの鋭角側の角度が６５度〜８８度のいずれかの角度に設定されていることを特徴とする筆記用紙。
【請求項５】
請求項１〜４のいずれかに記載の筆記用紙において、
前記左ページ側用紙においては、前記ページ境界線とは反対側の左側横端辺と当該左ページ側用紙の前記上端辺及び前記下端辺とのなす角度がそれぞれ９０度に設定され、
前記右ページ側用紙においては、前記ページ境界線とは反対側の右側横端辺と当該右ページ側用紙の前記上端辺及び前記下端辺とのなす角度がそれぞれ９０度に設定されていることを特徴とする筆記用紙。
【請求項６】
請求項１〜５のいずれかに記載の筆記用紙において、
前記罫線は、前記左ページ側用紙の上端辺又は前記右ページ側用紙の上端辺に平行に設けられていることを特徴とする筆記用紙。
【請求項７】
請求項１〜６のいずれかに記載の筆記用紙において、
前記左ページ側用紙及び右ページ側用紙には、当該左ページ側用紙及び右ページ側用紙を切り離し可能とするためのミシン目が、当該左ページ側用紙及び右ページ側用紙におけるそれぞれの上端辺及び下端辺に直交する方向に沿って設けられていることを特徴とする筆記用紙。
【請求項８】
請求項７に記載の筆記用紙において、
前記左ページ側用紙及び右ページ側用紙には、切り離した後の前記左ページ側用紙及び右ページ側用紙をバインダーで綴じることが可能なバインダー用綴じ孔が設けられていることを特徴とする筆記用紙。
【請求項９】
請求項１〜８のいずれかに記載の筆記用紙において、
前記筆記用紙は、ノートであることを特徴とする筆記用紙。
【請求項１０】
請求項１〜８のいずれかに記載の筆記用紙において、
前記筆記用紙は、医療機関で用いられるカルテであることを特徴とする筆記用紙。
【請求項１１】
請求項１〜１０のいずれかに記載の筆記用紙において、
前記右側筆記領域及び左側筆記領域の少なくとも一方には、升目部及び／又は空白部が含まれていることを特徴とする筆記用紙。
【請求項１２】
見開きの状態としたときに左ページ側の左ページ側用紙には左側筆記領域が形成されるとともに右ページ側の右ページ側用紙には右側筆記領域が形成され、かつ、前記左側筆記領域と右側筆記領域のうちの少なくとも前記左側筆記領域には横書き用の罫線を有する筆記用紙であって、
前記罫線は、直線で形成され、かつ、前記左ページ側用紙と右ページ側用紙との境界線となるページ境界線から斜め左下がり方向に設けられていることを特徴とする筆記用紙。
【請求項１３】
見開きの状態としたときに左ページ側の左ページ側用紙には左側筆記領域が形成されるとともに右ページ側の右ページ側用紙には右側筆記領域が形成され、かつ、前記左側筆記領域と右側筆記領域のうちの少なくとも前記右側筆記領域には横書き用の罫線を有する筆記用紙であって、
前記罫線は、直線で形成され、かつ、前記左ページ側用紙と右ページ側用紙との境界線となるページ境界線から斜め右下がり方向に設けられていることを特徴とする筆記用紙。
【請求項１４】
見開きの状態としたときに左ページ側の左ページ側用紙には左側筆記領域が形成されるとともに右ページ側の右ページ側用紙には右側筆記領域が形成され、かつ、前記左側筆記領域及び右側筆記領域の両方には横書き用の罫線を有する筆記用紙であって、
前記罫線は、直線で形成され、かつ、前記左側筆記領域においては前記ページ境界線から斜め左下がり方向に設けられ、前記右側筆記領域においては前記ページ境界線から斜め右下がり方向に設けられていることを特徴とする筆記用紙。
【発明の詳細な説明】
【技術分野】
【０００１】
本発明は、筆記用紙に関し、特に横書き用の罫線を有する筆記用紙に関する。
【背景技術】
【０００２】
横書き用の罫線（横罫線という。）を有する筆記用紙に横書きで文字を書く場合に、筆記者（右利きとする。）の多くは、筆記用紙の上端右側角部（右肩という。）を少し上げた状態、すなわち、横罫線が斜め右上がりの状態となるようにして筆記するのが一般的である。なお、この明細書において、筆記用紙というのは、一般的なノート、スパイラルノート、バインダーで綴じられたノート（バインダー付きノート）及び医療機関で用いられるカルテなどのように、見開きの状態で使用可能なもの全体を指している。
【０００３】
図１７は、筆記用紙と筆記者との関係を説明するために示す図である。図１７に示すように、筆記用紙（一般的なノートとする。）１を見開きの状態として、図１７における実線で示すように筆記者２の正面に正しく置いて、筆記者２が横罫線３に沿って文字を書こうとする場合、筆記者２の多くは、机４の上（天板上）でノート１の右肩を少し上げた状態、すなわち、ノート１を図示の破線で示すように反時計方向に少し回転させた状態となるようにして筆記するのが一般的である。
【０００４】
これは、人間の体の構造によるものである。すなわち、右利きの人が横罫線に沿って文字を書こうとするときは、肘を中心として肘から筆記具の先端までを半径とする円弧５を描くように筆記して行くことが筆記者２にとって自然な筆の運びとなるためである。なお、図１７における実線で示すようにノート１を筆記者２の正面に正しく置いた状態を、ここでは、「ノートを筆記者に対して正対した状態・・・」というように表現する。
【０００５】
ノート１を筆記者２に対して正対した状態として、横罫線３に沿って左側から右側に向かって文字を書こうとすると、横罫線３に沿って右方向に書き進むに連れて肘を後方にずらさざるを得なくなり、肘だけでなく肩にも負担がかかり、肩こりなどを引き起こす原因ともなる。これは、ノート１を見開きの状態として左側のページに文字を書こうとするときに、特に顕著なものとなる。
【０００６】
このような課題を解決しようして工夫されたノートは従来から提案されている（例えば特許文献１参照。）。
図１８は、特許文献１に記載されたノートを説明するために示す図である。特許文献１に記載されたノートは、図１８に示すように、ノート１の左ページ側の左ページ側用紙６Ｌに設けられている横罫線３Ｌ及び右ページ側の右ページ側用紙６Ｒに設けられている横罫線３Ｒをそれぞれ斜め右上がりの円弧状としたものである。
【先行技術文献】
【特許文献】
【０００７】
【特許文献１】実開昭５３−７０９２８号公報
【発明の概要】
【発明が解決しようとする課題】
【０００８】
横罫線３Ｌ，３Ｒを図１８に示すように斜め右上がりの円弧状とすることにより、肘を中心として肘から筆記具の先端までを半径とする円弧を描くように筆記して行くことができるため、肘や肩にかかる負担を少なくすることができ、長時間の筆記を行う場合にも疲労を少なくすることができる。
【０００９】
しかしながら、特許文献１に記載されたノート１は、横罫線３Ｌ，３Ｒが円弧状となっているため、直線の罫線を見慣れたユーザーにとってはノートとして違和感がある。例えば、１ページ分を文字で埋め尽くした場合などにおいては、文字が当該ページ全体において円弧を描いた状態となっているため、ノートとして、見た目に好ましいものでなく、また、書いた内容を読む場合にも読みやすいとは言えない。
【００１０】
そこで本発明は、長時間の筆記を行う場合にも疲労を少なくすることができ、かつ、見た目に好ましく、また、書いた内容を読む場合にも読みやすくすることができる筆記用紙を提供することを目的とする。
【課題を解決するための手段】
【００１１】
［１］本発明の筆記用紙は、見開きの状態としたときに左ページ側の左ページ側用紙には左側筆記領域が形成されるとともに右ページ側の右ページ側用紙には右側筆記領域が形成され、かつ、前記左側筆記領域及び右側筆記領域のうちの少なくとも前記左側筆記領域には横書き用の罫線を有する筆記用紙であって、前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、前記右ページ側用紙は、当該右ページ側用紙の上端辺と下端辺とが平行で前記上端辺の長さが前記下端辺よりも長く形成され、かつ、前記ページ境界線から斜め右下がり方向に形成され、前記罫線は、直線で形成され、かつ、前記ページ境界線から斜め左下がり方向に設けられていることを特徴とする。
【００１２】
本発明の筆記用紙によれば、左ページ側用紙の罫線（横罫線）がページ境界線から斜め左下がり、すなわち、ページ境界線に向かって斜め右上がりに設けられているので、罫線に沿って文字を筆記する場合、筆記用紙を筆記者に対して正対した状態としたままで、肘を中心として肘から筆記具の先端までを半径とする円弧を描くように筆記して行くことができる。このため、筆記者の肘や肩にかかる負担を少なくすることができ、長時間の筆記を行う場合にも疲労を少なくすることができる。左ページの罫線がこのように斜め右上がりに設けられていることにより、特に右利きの筆記者にとっては、より筆記しやすいものとなり、右利きの筆記者の肘や肩にかかる負担を少なくすることができる。また、罫線が直線で形成されているため、筆記用紙として、見た目に好ましいものとなり、書いた内容を読む場合にも読みやすくすることができる。
【００１３】
［２］本発明の筆記用紙は、見開きの状態としたときに左ページ側の左ページ側用紙には左側筆記領域が形成されるとともに右ページ側の右ページ側用紙には右側筆記領域が形成され、かつ、前記左側筆記領域及び右側筆記領域のうちの少なくとも前記右側筆記領域には横書き用の罫線を有する筆記用紙であって、前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、前記右ページ側用紙は、当該右ページ側用紙の上端辺と下端辺とが平行で前記上端辺の長さが前記下端辺よりも長く形成され、かつ、前記ページ境界線から斜め右下がり方向に形成され、前記罫線は、直線で形成され、かつ、前記ページ境界線から斜め右下がり方向に設けられていることを特徴とする。
【００１４】
本発明の筆記用紙によれば、右ページ側用紙の罫線（横罫線）がページ境界線から斜め右下がりに設けられているので、罫線に沿って文字を筆記する場合、筆記用紙を筆記者に対して正対した状態としたままで、肘を中心として肘から筆記具の先端までを半径とする円弧を描くように筆記して行くことができる。このため、筆記者の肘や肩にかかる負担を少なくすることができ、長時間の筆記を行う場合にも疲労を少なくすることができる。右ページの罫線がこのように斜め右下がりに設けられていることにより、特に左利きの筆記者にとっては、より筆記しやすいものとなり、左利きの筆記者の肘や肩にかかる負担を少なくすることができる。また、罫線が直線で形成されているため、筆記用紙として、見た目に好ましいものとなり、書いた内容を読む場合にも読みやすくすることができる。
【００１５】
［３］本発明の筆記用紙は、見開きの状態としたときに左ページ側の左ページ側用紙には左側筆記領域が形成されるとともに右ページ側の右ページ側用紙には右側筆記領域が形成され、かつ、前記左側筆記領域及び右側筆記領域の両方には横書き用の罫線を有する筆記用紙であって、前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、前記右ページ側用紙は、当該右ページ側用紙の上端辺と下端辺とが平行で前記上端辺の長さが前記下端辺よりも長く形成され、かつ、前記ページ境界線から斜め右下がり方向に形成され、前記罫線は、直線で形成され、かつ、前記左側筆記領域においては前記ページ境界線から斜め左下がり方向に設けられ、前記右側筆記領域においては前記ページ境界線から斜め右下がり方向に設けられていることを特徴とする。
【００１６】
これは、見開きの状態としたときに左ページ側用紙の罫線と右ページ側用紙の罫線がページ境界線において左右対象に設けられているものであり、このような構成とすることによって、美観的にも優れた筆記用紙とすることができる。また、このような構成を有することによって、罫線に沿って文字を書く場合、筆記者が右利きであっても、また、左利きであっても筆記者の肘や肩にかかる負担を少なくすることができ、長時間の筆記を行う場合にも疲労を少なくすることができる。
【００１７】
［４］本発明の筆記用紙においては、前記罫線は、当該罫線と前記ページ境界線とのなす角度のうちの鋭角側の角度が６５度〜８８度のいずれかの角度に設定されることが好ましい。
【００１８】
このような角度に設定することによって、自然な筆運びで筆記することができ、その結果、肘や肩にかかる負担を少なくすることができ、長時間の筆記を行う場合にも疲労を少なくすることができる。
【００１９】
［５］本発明の筆記用紙においては、前記左ページ側用紙においては、前記ページ境界線とは反対側の左側横端辺と当該左ページ側用紙の前記上端辺及び前記下端辺とのなす角度がそれぞれ９０度に設定され、前記右ページ側用紙においては、前記ページ境界線とは反対側の右側横端辺と当該右ページ側用紙の前記上端辺及び前記下端辺とのなす角度がそれぞれ９０度に設定されていることが好ましい。
【００２０】
このような構成とすることにより、当該筆記用紙を閉じた状態とした場合に存在する４つの角部のうちの２つの角部の角度、すなわち、筆記用紙のページ境界線とは反対側の左側横端辺及び右側横端辺と上端辺及び下端辺とのなす角部がそれぞれ９０度（直角）となるので、見た目に好ましい筆記用紙とすることができ、また、見開きの状態としたときも、左ページ側用紙及び右ページ側用紙それぞれにおいて、それぞれ４つの角部のうちの２つの角部、すなわち、筆記用紙のページ境界線とは反対側の左側横端辺及び右側横端辺とそれぞれの上端辺及び下端辺とのなす角部がそれぞれ９０度（直角）となるので、筆記用紙として、見た目に好ましいものとなる。また、矩形状の左側筆記領域及び右側筆記領域を広くとることができる。
【００２１】
［６］本発明の筆記用紙においては、前記罫線は、前記左ページ側用紙の上端辺又は前記右ページ側用紙の上端辺に平行に設けられていることが好ましい。
【００２２】
このように、罫線が左ページ側用紙の上端辺又は右ページ側用紙の上端辺に平行に設けられていることにより、筆記用紙として美観的に好ましいものとなる。
【００２３】
［７］本発明の筆記用紙においては、前記左ページ側用紙及び右ページ側用紙には、当該左ページ側用紙及び右ページ側用紙を切り離し可能とするためのミシン目が、当該左ページ側用紙及び右ページ側用紙におけるそれぞれの上端辺及び下端辺に直交する方向に沿って設けられていることが好ましい。
【００２４】
このようなミシン目を設けることにより、筆記し終わったあとに、左ページ側用紙又は右ページ側用紙を容易に切り離すことができ、また、切り離した左ページ側用紙又は右ページ側用紙をまとめて綴じたりすることもできる。この場合、切り離した状態では、左ページ側用紙又は右ページ側用紙の罫線がバインダーの上下方向の中心線（ページ境界線）に対して直交する方向となるので、通常のノートなどと同様の形状（長方形）となる。このため、バインダーに綴じたあとは一般的なノートなどと同様に扱うことができる。
【００２５】
［８］本発明の筆記用紙においては、前記左ページ側用紙及び右ページ側用紙には、切り離した後の前記左ページ側用紙及び右ページ側用紙をバインダーで綴じることが可能なバインダー用綴じ孔が設けられていることが好ましい。
【００２６】
このような綴じ孔を設けることにより、切り離した左ページ側用紙又は右ページ側用紙をバインダーに容易に綴じることができる。
【００２７】
［９］本発明の筆記用紙においては、前記筆記用紙は、ノートであることが好ましい。
【００２８】
筆記用紙がノートであることにより、学生や社会人など広い範囲のユーザーが使用することができる。特に、ノートに長時間に渡って筆記を行う学生などの肘や肩にかかる負担を少なくすることができ、長時間の筆記を行う場合にも疲労を少なくすることができる。なお、ノートには、一般的なノートの他に、スパイラルノート、バインダー付きノートなども含まれる。
【００２９】
［１０］本発明の筆記用紙においては、前記筆記用紙は、医療機関で用いられるカルテであることもまた好ましい。
【００３０】
筆記用紙がカルテであることにより、診察時において、楽な姿勢で所見などを書き込むことが可能となる。このため、多数の患者を次々と診察するような場合、患者ごとにカルテを作成する必要があるが、このような場合においても、肘や肩にかかる負担を少なくすることができ、疲労を少なくすることができる。
【００３１】
［１１］本発明の筆記用紙においては、前記筆記領域には、升目部及び／又は空白部が含まれているものであってもよい。
【００３２】
このように本発明は、横書きであれば罫線だけでなく種々の記入部分を有する筆記用紙に適用可能となる。
【００３３】
［１２］本発明の筆記用紙は、見開きの状態としたときに左ページ側の左ページ側用紙には左側筆記領域が形成されるとともに右ページ側の右ページ側用紙には右側筆記領域が形成され、かつ、前記左側筆記領域と右側筆記領域のうちの少なくとも前記左側筆記領域には横書き用の罫線を有する筆記用紙であって、前記罫線は、直線で形成され、かつ、前記左ページ側用紙と右ページ側用紙との境界線となるページ境界線から斜め左下がり方向に設けられていることを特徴とする。
【００３４】
このような筆記用紙においても、［１］の筆記用紙と同様の効果が得られる。なお、［１２］の筆記用紙は、多種の筆記用紙が含まれるものであり、例えば、筆記用紙の上端辺及び下端辺の長さが同じであってよい。なお、［１２］の筆記用紙においても、上記［４］及び［７］〜［１１］の筆記用紙と同様の特徴を有することが好ましい。
【００３５】
［１３］本発明の筆記用紙は、見開きの状態としたときに左ページ側の左ページ側用紙には左側筆記領域が形成されるとともに右ページ側の右ページ側用紙には右側筆記領域が形成され、かつ、前記左側筆記領域と右側筆記領域のうちの少なくとも前記右側筆記領域には横書き用の罫線を有する筆記用紙であって、前記罫線は、直線で形成され、かつ、前記左ページ側用紙と右ページ側用紙との境界線となるページ境界線から斜め右下がり方向に設けられていることを特徴とする。
【００３６】
このような筆記用紙においても、［２］の筆記用紙と同様の効果が得られる。なお、［１３］の筆記用紙も、［１２］の筆記用紙と同様に、多種の筆記用紙が含まるものであり、例えば、筆記用紙の上端辺及び下端辺の長さが同じであってよい。なお、［１３］の筆記用紙においても、上記［４］及び［７］〜［１１］の筆記用紙と同様の特徴を有することが好ましい。
【００３７】
［１４］本発明の筆記用紙は、見開きの状態としたときに左ページ側の左ページ側用紙には左側筆記領域が形成されるとともに右ページ側の右ページ側用紙には右側筆記領域が形成され、かつ、前記左側筆記領域及び右側筆記領域の両方には横書き用の罫線を有する筆記用紙であって、前記罫線は、直線で形成され、かつ、前記左側筆記領域においては前記ページ境界線から斜め左下がり方向に設けられ、前記右側筆記領域においては前記ページ境界線から斜め右下がり方向に設けられていることを特徴とする。
【００３８】
このような筆記用紙においても、［３］の筆記用紙と同様の効果が得られる。なお、［１４］の筆記用紙も、［１２］及び［１３］の筆記用紙と同様に、多種の筆記用紙が含まるものであり、例えば、筆記用紙の上端辺及び下端辺の長さが同じであってよい。なお、［１４］の筆記用紙においても、上記［４］及び［７］〜［１１］の筆記用紙と同様の特徴を有することが好ましい。
【図面の簡単な説明】
【００３９】
【図１】実施形態１に係る筆記用紙１０Ａを説明するために示す図である。
【図２】実施形態１に係る筆記用紙（ノート１０Ａ）を用いて筆記する場合の筆記者２とノート１０Ａの位置関係を説明するために示す図である。
【図３】実施形態１に係る筆記用紙（ノート１０Ａ）の第１変形例を説明するために示す図である。
【図４】実施形態１に係る筆記用紙（ノート１０Ａ）の第２変形例を説明するために示す図である。
【図５】実施形態２に係る筆記用紙１０Ｂを説明するために示す図である。
【図６】実施形態３に係る筆記用紙１０Ｃを説明するために示す図である。
【図７】実施形態４に係る筆記用紙１０Ｄを説明するために示す図である。
【図８】実施形態４に係る筆記用紙１０Ｄの変形例を説明するために示す図である。
【図９】実施形態５に係る筆記用紙１０Ｅを説明するために示す図である。
【図１０】筆記用紙を見開きの状態としたときに左ページ側用紙１１Ｌ又は右ページ側用紙１１Ｒの一方のみに横罫線が設けられている例を示す図である。
【図１１】変形例３に係る筆記用紙１０Ｆを説明するために示す図である。
【図１２】変形例４に係る筆記用紙１０Ｇを説明するために示す図である。
【図１３】変形例５に係る筆記用紙１０Ｈを説明するために示す図である。
【図１４】変形例６に係る筆記用紙１０Ｉを説明するために示す図である。
【図１５】変形例７に係る筆記用紙１０Ｊを説明するために示す図である。
【図１６】変形例８に係る筆記用紙１０Ｋを説明するために示す図である。
【図１７】筆記用紙と筆記者との関係を説明するために示す図である。
【図１８】特許文献１に記載されたノートを説明するために示す図である。
【発明を実施するための形態】
【００４０】
以下、本発明の実施形態について説明する。
【００４１】
［実施形態１］
図１は、実施形態１に係る筆記用紙１０Ａを説明するために示す図である。なお、実施形態１に係る筆記用紙１０Ａは、一般的なノートであるとする。また、図１（ａ）は、実施形態１に係る筆記用紙１０Ａ（ノート１０Ａという。）を閉じた状態とした場合を示す図であり、図１（ｂ）はノート１０Ａを見開きの状態とした場合を示す図である。
【００４２】
実施形態１に係る筆記用紙１０Ａ（ノート１０Ａという。）は、ノート１０Ａを閉じた状態においては、図１（ａ）に示すように、上端辺ａの長さＬａが下端辺ｂの長さＬｂよりも長くなっており、また、左ページと右ページとの境界となる線（ページ境界線という。）１３とは反対側の横端辺ｃと上端辺ａ及び下端辺ｂとのなす角度はそれぞれ９０度となっている。このため、ノート１０Ａを閉じた状態（図１（ａ）参照。）としたときに、横端辺ｃをｘｙ直交座標上のｙ軸に一致させると、ページ境界線１３は必然的にｙ軸に対して所定角度だけ傾斜することとなる。
【００４３】
また、ノート１０Ａを見開きの状態としたときは、図１（ｂ）に示すように、ページ境界線１３を挟んで左ページ側の用紙１１Ｌ（左ページ側用紙１１Ｌという。）及び右ページ側の用紙１１Ｒ（右ページ側用紙１１Ｒという。）が存在する。そして、左ページ側用紙１１Ｌには一点鎖線枠で示すような矩形状の左側筆記領域１４Ｌが形成され、右ページ側用紙１１Ｒには同じく一点鎖線枠で示すような矩形状の右側筆記領域１４Ｒが形成される。
【００４４】
そして、左側筆記領域１４Ｌには直線で形成される横罫線１２Ｌが設けられ、右側筆記領域１４Ｒには直線で形成される横罫線１２Ｒが設けられている。以下では、左側筆記領域１４Ｌは「左側」を省略して「筆記領域１４Ｌ」と表記し、右側筆記領域１４Ｒは「右側」を省略して「筆記領域１４Ｒ」と表記する。
【００４５】
なお、ノート１０Ａを閉じた状態とした場合のノート１０Ａの上端辺ａ（図１（ａ）参照。）は、ノート１０Ａを見開きの状態（図１（ｂ）参照。）とした場合においては、左ページ側用紙１１Ｌの上端辺を左側上端辺ａ１とし、右ページ側用紙１１Ｒの上端辺を右側上端辺ａ２とする。また、ノート１０Ａを閉じた状態とした場合のノート１０Ａの下端辺ｂ（図１（ａ）参照。）は、ノート１０Ａを見開きの状態（図１（ｂ）参照。）とした場合においては、左ページ側用紙１１Ｌの下端辺を左側下端辺ｂ１とし、右ページ側用紙１１Ｒの下端辺を右側下端辺ｂ２とする。
【００４６】
また、ノート１０Ａを閉じた状態とした場合のノート１０Ａの横端辺ｃ（図１（ａ）参照。）は、ノート１０Ａを見開きの状態（図１（ｂ）参照。）とした場合においては、左ページ側用紙１１Ｌにおけるページ境界線１３とは反対側の横端辺を左側横端辺ｃ１とし、右ページ側用紙１１Ｒにおけるページ境界線１３とは反対側の横端辺を右側横端辺ｃ２とする。
【００４７】
ノート１０Ａを図１（ｂ）に示すように見開きの状態としたとき、左ページ側用紙１１Ｌは、当該左ページ側用紙１１Ｌの左側上端辺ａ１と左側下端辺ｂ１とが平行で左側上端辺ａ１の長さＬａが左側下端辺ｂ１の長さＬｂよりも長く形成され、かつ、ページ境界線１３から斜め左下がり方向に形成されたものとなる。また、右ページ側用紙１１Ｒは、当該右ページ側用紙１１Ｒの右側上端辺ａ２と右側下端辺ｂ２とが平行で右側上端辺ａ２の長さＬａが右側下端辺ｂ２の長さＬｂよりも長く形成され、かつ、ページ境界線１３から斜め右下がり方向に形成されたものとなる。
【００４８】
また、左ページ側用紙１１Ｌの筆記領域１４Ｌの横罫線１２Ｌは、左ページ側用紙１１Ｌの左側上端辺ａ１と平行に設けられており、右ページ側用紙１１Ｒの筆記領域１４Ｒの横罫線１２Ｒも同様に、右ページ側用紙１１Ｒの右側上端辺ａ２と平行に設けられている。すなわち、横罫線１２Ｌは、ページ境界線１３から斜め左下がり方向（ページ境界線１３に向かって斜め右上がり方向）に設けられており、横罫線１２Ｒは、ページ境界線１３から斜め右下がり方向に設けられている。
【００４９】
また、左ページ側用紙１１Ｌの横罫線１２Ｌとページ境界線１３とのなす角度（鋭角側の角度）θ１は、６５度〜８８度の範囲のいずれかの角度に設定することが好ましい。また、右ページ側用紙１１Ｒ側の横罫線１２Ｒと、ページ境界線１３とのなす角度（鋭角側の角度）θ２も同様に、６５度〜８８度の範囲のいずれかの角度に設定することが好ましい。
【００５０】
横罫線１２Ｌとページ境界線１３とのなす角度θ１をこのような範囲（６５度〜８８度）の角度に設定するためには、ノート１０Ａの左側横端辺ｃ１のページ境界線１３に対する角度θ３を２５度〜２度の範囲で設定すれば、θ１は、必然的に６５度〜８８度の範囲に設定される。また、横罫線１２Ｒとページ境界線１３とのなす角度θ２をこのような範囲（６５度〜８８度）の角度に設定するためには、ノート１０Ａの右側横端辺ｃ２のページ境界線１３に対する角度θ４を２５度〜２度の範囲で設定すれば、θ２は、必然的に６５度〜８８度の範囲に設定される。なお、θ１及びθ２は、６５度〜８８度の範囲に設定することが好ましいが、より好ましくは、θ１及びθ２は７５度〜８６度の範囲である。ちなみに、ノート１０Ａにおいては、θ１＝θ２＝８４度、すなわち、θ３＝θ４＝６度に設定している。
【００５１】
なお、左側横端辺ｃ１のページ境界線１３に対する角度θ３は、図１においては、筆記領域１４Ｌにおけるページ境界線１３側の横端辺ｃ１’とページ境界線１３とのなす角度θ３として示されており、また、右側横端辺ｃ２のページ境界線に対する角度θ４も同様に、図１においては、筆記領域１４Ｒにおけるページ境界線１３側の横端辺ｃ２’とページ境界線１３とのなす角度θ４として示されている。
【００５２】
ノート１０Ａが図１に示すような構成を有することによって、横罫線１２Ｌ，１２Ｒに沿って文字を書く場合、筆記者が右利きであっても、また、左利きであっても筆記者の肘や肩にかかる負担を少なくすることができ、長時間の筆記を行う場合にも疲労を少なくすることができる。
【００５３】
また、ノート１０Ａは、横罫線１２Ｌ，１２Ｒが直線であるため、例えば、各ページにおいて当該ページを文字で埋め尽くした場合などにおいても、文字が直線上に並ぶため、ノートとして、見た目に好ましいものとなり、また、書いた内容を読む場合も読みやすいものとなる。
【００５４】
図２は、実施形態１に係る筆記用紙（ノート１０Ａ）を用いて筆記する場合の筆記者とノート１０Ａの位置関係を説明するために示す図である。図２（ａ）は筆記者が右利きの場合を示す図であり、図２（ｂ）は筆記者が左利きの場合を示す図である。
【００５５】
筆記者が右利きである場合には、図２（ａ）に示すように、筆記者２が机４の前に座った状態で正面を向いたときの筆記者２の視線方向をｙ軸に沿った方向としたとき、ノート１０Ａの右ページ側用紙１１Ｒの上端辺ａ２が視線方向に直交する方向（ｘ軸に沿った方向）に置く。すなわち、筆記者２の視線方向が机４の正面側の端辺４ａと直交する方向であるとすれば、ノート１０Ａの右ページ側用紙１１Ｒの上端辺ａ２が机４の正面側の端辺４ａと平行となるようにノート１０Ａを机４の上（天板上）に置く。
【００５６】
筆記者が右利きである場合には、ノート１０Ａを図２（ａ）に示すように置くことによって、左ページ側用紙１１Ｌの横罫線１２Ｌは右上がりとなり、右利きの筆記者２は、左ページ側用紙１１Ｌに筆記する場合、肘を中心として肘から筆記具の先端までを半径とする円弧を描くように筆記して行くことができる。このため、右利きの筆記者の肘や肩にかかる負担を少なくすることができ、長時間の筆記を行う場合にも疲労を少なくすることができる。なお、このとき、ページ境界線１３の視線方向（ｙ軸に沿った方向）に対する鋭角側の角度は、ｙ軸に対する反時計方向の角度をマイナス（−）とすれば、−１２度となる。これは、この場合、θ３＝θ４＝６度としているためであり、（−６）＋（−６）＝−１２度となる。このような角度は、右利きの一般的な筆記者にとって書きやすいものとなる。
【００５７】
なお、図２（ａ）においては、右ページ側用紙１１Ｒの横罫線１２Ｒは、机４の正面側の端辺４ａと平行となっているが、右利きの筆記者が右ページ側用紙１１Ｒの横罫線１２Ｒに沿って筆記する場合には、横罫線１２Ｒに傾きがなくても、肘や肩に負担がかかることなく筆記することができる。
【００５８】
一方、筆記者が左利きである場合には、図２（ｂ）に示すように、筆記者２が机４の前に座った状態で正面を向いたときの筆記者２の視線方向をｙ軸に沿った方向としたとき、ノート１０Ａの左ページ側用紙１１Ｌの上端辺ａ１が視線方向に直交する方向（ｘ軸に沿った方向）に置く。すなわち、筆記者２の視線方向が机４の正面側の端辺４ａと直交する方向であるとすれば、ノート１０Ａの左ページ側用紙１１Ｌの上端辺ａ１が机４の正面側の端辺４ａと平行となるようにノート１０Ａを机４の上（天板上）に置く。
【００５９】
筆記者が左利きの場合には、ノート１０Ａを図２（ｂ）に示すように置くことによって、右ページ側用紙１１Ｒの横罫線１２Ｒは右下がりとなり、左利きの筆記者２は、右ページ側用紙１１Ｒに筆記する場合、肘を中心として肘から筆記具の先端までを半径とする円弧を描くように筆記して行くことができる。このため、左利きの筆記者の肘や肩にかかる負担を少なくすることができ、長時間の筆記を行う場合にも疲労を少なくすることができる。なお、このとき、ページ境界線１３の視線方向（ｙ軸に沿った方向）に対する鋭角側の角度は、ｙ軸に対する時計方向の角度をプラス（＋）とすれば、＋１２度となる。このような角度は、左利きの一般的な筆記者にとって書きやすいものとなる。
【００６０】
なお、図２（ｂ）においては、左ページ側用紙１１Ｌの横罫線１２Ｌは、机４の正面側の端辺４ａと平行となっているが、左利きの筆記者が左ページ側用紙１１Ｌの横罫線１２Ｌに沿って筆記する場合には、横罫線１２Ｌに傾きがなくても、肘や肩に負担がかかることなく筆記することができる。
【００６１】
図３は、実施形態１に係る筆記用紙（ノート１０Ａ）の第１変形例を説明するために示す図である。図３に示すノート１０Ａ（第１変形例のノート１０Ａという。）は、左ページ側用紙１１Ｌ及び右ページ側用紙１１Ｒをノート１０Ａから切り離せるように、左ページ側用紙１１Ｌ及び右ページ側用紙１１Ｒの上端辺（左側上端辺ａ１及び右側上端辺ａ２）及び下端辺（左側下端辺ｂ１及び右側下端辺ｂ２）にそれぞれ直交するミシン目（破線で示す。）１５をページ境界線１３の側にそれぞれに設けるとともに、バインダー（図３では図示せず。）に綴じることが可能なバインダー用綴じ孔１６を設けたものである。
【００６２】
このような構成とすることにより、筆記し終わったあとに、切り離したい左ページ側用紙１１Ｌ又は右ページ側用紙１１Ｒを切り離して、バインダーに綴じることができる。この場合、バインダーに綴じた状態では、左ページ側用紙１１Ｌ又は右ページ側用紙１１Ｒは、通常のノートと同様の矩形状（長方形状）となり、各ページの罫線もバインダーの上下方向の中心線（ページ境界線）に対して直交する方向となるので、一般的なノートと同様に扱うことができる。
【００６３】
図４は、実施形態１に係る筆記用紙（ノート１０Ａ）の第２変形例を説明するために示す図である。図４（ａ）は実施形態１に係るノート１０Ａの第２変形例（第２変形例のノート１０Ａという。）を閉じた状態とした場合を示す図であり、図４（ｂ）は第２変形例のノート１０Ａを見開きの状態とした場合を示す図である。
【００６４】
第２変形例のノート１０Ａは、図４に示すように、ページ境界線１３と筆記領域１４Ｌ，１４Ｒとの間の空白部の一部に切り欠き部３１を設けたものである。なお、第２変形例のノート１０Ａを見開きの状態とした場合（図４（ｂ）参照。）には、左ページ側用紙１１Ｌにおける切り欠き部を切り欠き部３１Ｌとし、右ページ側用紙１１Ｒにおける切り欠き部を切り欠き部３１Ｒとする。
【００６５】
第２変形例のノート１０Ａは、図４に示すように、上端辺ａ１の長さＬａ’が下端辺ｂ１の長さＬｂと同じ長さとなるように切り欠き部３１Ｌが設けられているともに、上端辺ａ２の長さＬａ’が下端辺ｂ２の長さＬｂと同じ長さとなるように切り欠き部３１Ｒが設けられている。また、切り欠き部３１Ｌ，３１Ｒは、上端辺ａ１，ａ２側からノート１０Ａの縦方向の長さの１／２から１／３程度までの間に設けられている。このような切り欠き部３１Ｌ，３１Ｒを設けることにより、紙の使用量を減らすことができる。
【００６６】
なお、切り欠き部３１Ｌ，３１Ｒの形状は、図４に示すような形状に限られるものではなく、それぞれが単純な三角形であってもよく、また、矩形であってもよい。また、図４の例では、上端辺ａ１，ａ２の長さＬａ’が下端辺ｂ１，ｂ２の長さＬｂと同じ長さとなるように切り欠き部３１Ｌ，３１Ｒを設けるようにしたが、これに限られるものではなく、上端辺ａ１，ａ２の長さＬａ’が下端辺ｂ１，ｂ２の長さＬｂよりもわずかに長くなるように切り欠き部３１Ｌ，３１Ｒを設けるようにしてもよく、また逆に、上端辺ａ１，ａ２の長さＬａ’が下端辺ｂ１，ｂ２の長さＬｂよりもわずかに短くなるように切り欠き部３１Ｌ，３１Ｒを設けるようにしてもよい。
【００６７】
［実施形態２］
図５は、実施形態２に係る筆記用紙１０Ｂを説明するために示す図である。なお、図５は、実施形態２に係る筆記用紙１０Ｂを見開きの状態とした場合を示す図である。実施形態２に係る筆記用紙１０Ｂは、図５に示すように、ノートとは異なり、左ページ側用紙１１Ｌに存在する筆記領域１４Ｌ及び右ページ側用紙１１Ｒに存在する筆記領域１４Ｒには、それぞれ横罫線のみではなく、升目部や空白部なども含まれている。この種の筆記用紙１０Ｂとしては、例えば、医師が診察結果を記入するための「カルテ」などを例示することができる。
【００６８】
実施形態２に係る筆記用紙１０Ｂ（カルテ１０Ｂという。）は、外観の形状としては実施形態１に係るノート１０Ａと同様の形状をなしている。すなわち、カルテ１０Ｂを閉じた状態とした場合の外観形状としては図１（ａ）と同様の形状をなし、見開きの状態としたときは、図１（ｂ）と同様の形状をなす。なお、図５は図１（ｂ）に対応するものである。
【００６９】
カルテ１０Ｂを見開きの状態（図５参照。）としたときに、左ページの横罫線や升目などは、ページ境界線１３から斜め左下がり、すなわち、ページ境界線１３に向かって斜め右上がりに設けられる。また、右ページの横罫線や升目などは、ページ境界線１３から斜め右下がりに設けられる。なお、図５における角度θ１、θ２、θ３及びθ４は、図１と同様に設定されているものとする。
【００７０】
カルテ１０Ｂが図５に示すような構成を有することによって、横罫線や升目部に沿って文字を書く場合、筆記者が右利きであっても、また、左利きであっても筆記者の肘や肩にかかる負担を少なくすることができ、長時間の筆記を行う場合にも疲労を少なくすることができる。
【００７１】
すなわち、図５に示すようなカルテ１０Ｂを用いて、右利きの筆記者が筆記する場合は、カルテ１０Ｂを図２（ａ）の場合と同様に机４の上（天板上）に置くことにより、右利きの筆記者の肘や肩にかかる負担を少なくすることができる。なお、右利きの筆記者の場合は、特に、左ページ側用紙１１Ｌに筆記する場合に、肘を中心として肘から筆記具の先端までを半径とする円弧を描くように筆記して行くことができるため、右利きの筆記者の肘や肩にかかる負担を少なくすることができ、長時間の筆記を行う場合にも疲労を少なくすることができる。
【００７２】
また、図５に示すようなカルテ１０Ｂを用いて、左利きの筆記者が筆記する場合は、カルテ１０Ｂを図２（ｂ）の場合と同様に机４の上（天板上）に置くことにより、左利きの筆記者の肘や肩にかかる負担を少なくすることができる。なお、左利きの筆記者の場合は、特に、右ページ側用紙１１Ｒに筆記する場合に、肘を中心として肘から筆記具の先端までを半径とする円弧を描くように筆記して行くことができるため、左利きの筆記者の肘や肩にかかる負担を少なくすることができ、長時間の筆記を行う場合にも疲労を少なくすることができる。
【００７３】
［実施形態３］
図６は、実施形態３に係る筆記用紙１０Ｃを説明するために示す図である。図６（ａ）は、実施形態３に係る筆記用紙１０Ｃを閉じた状態とした場合を示す図であり、図６（ｂ）は実施形態３に係る筆記用紙１０Ｃを見開きの状態とした場合を示す図である。
【００７４】
実施形態３に係る筆記用紙１０Ｃは、図６に示すように、スパイラルノートと呼ばれているノートである。すなわち、見開きの状態としたときの左ページ側用紙１１Ｌ及び右ページ側用紙１１Ｒは、それぞれが切り離された状態となっており、左ページ側用紙１１Ｌ及び右ページ側用紙１１Ｒが螺旋状の綴じ具２１によって綴じられた構成となっている。
【００７５】
また、実施形態３に係る筆記用紙１０Ｃ（スパイラルノート１０Ｃという。）の左ページ側用紙１１Ｌ及び右ページ側用紙１１Ｒは、図１に示したノート１０Ａの左ページ側用紙１１Ｌ及び右ページ側用紙１１Ｒと同様の形状をなしており、図６において、図１と同一部分には同一符号が付されている。また、図６における角度θ１、θ２、θ３及びθ４は、図１と同様に設定されているものとする。
【００７６】
スパイラルノート１０Ｃをこのような構成とすることによって、実施形態１に係るノート１０Ａ（図１参照。）と同様に、横罫線１２Ｌ，１２Ｒに沿って文字を書く場合、筆記者が右利きであっても、また、左利きであっても筆記者の肘や肩にかかる負担を少なくすることができ、長時間の筆記を行う場合にも疲労を少なくすることができる。
【００７７】
すなわち、図６に示すようなスパイラルノート１０Ｃを用いて、右利きの筆記者が筆記する場合は、スパイラルノート１０Ｃを図２（ａ）の場合と同様に机４の上（天板上）に置くことにより、右利きの筆記者の肘や肩にかかる負担を少なくすることができる。なお、右利きの筆記者の場合は、特に、左ページ側用紙１１Ｌに筆記する場合に、肘を中心として肘から筆記具の先端までを半径とする円弧を描くように筆記して行くことができるため、右利きの筆記者の肘や肩にかかる負担を少なくすることができ、長時間の筆記を行う場合にも疲労を少なくすることができる。
【００７８】
また、図６に示すようなスパイラルノート１０Ｃを用いて、左利きの筆記者が筆記する場合は、スパイラルノート１０Ｃを図２（ｂ）の場合と同様に机４の上（天板上）に置くことにより、左利きの筆記者の肘や肩にかかる負担を少なくすることができる。なお、左利きの筆記者の場合は、特に、右ページ側用紙１１Ｒに筆記する場合に、肘を中心として肘から筆記具の先端までを半径とする円弧を描くように筆記して行くことができるため、左利きの筆記者の肘や肩にかかる負担を少なくすることができ、長時間の筆記を行う場合にも疲労を少なくすることができる。
【００７９】
［実施形態４］
図７は、実施形態４に係る筆記用紙１０Ｄを説明するために示す図である。図７（ａ）は、実施形態４に係る筆記用紙１０Ｄを閉じた状態とした場合を示す図であり、図７（ｂ）は実施形態４に係る筆記用紙１０Ｄを見開きの状態とした場合を示す図である。実施形態４に係る筆記用紙１０Ｄは、図７に示すように、バインダー付きノートであり、バインダー部２２と、ノート部２３とからなる。
【００８０】
実施形態４に係る筆記用紙１０Ｄ（バインダー付きノート１０Ｄという。）は、見開きの状態としたときの左ページ側用紙１１Ｌ及び右ページ側用紙１１Ｒがバインダー部２２に設けられている開閉自在綴じ具２４によって綴じられているものである。なお、図７において、図１と同一部分には同一符号が付されている。
【００８１】
バインダー部２２の外観形状は、図１に示す実施形態１に係るノート１０Ａの外観形状と同様であり、バインダー付きノート１０Ｄを閉じた状態とした場合には、図７（ａ）に示すように、上端辺ｄの長さＬｄが下端辺ｅの長さＬｅよりも長くなっており、また、横端辺ｆと上端辺ｄ及び下端辺ｅとのなす角度はそれぞれ９０度としている。
【００８２】
なお、バインダー付きノート１０Ｄを閉じた状態とした場合のバインダー付きノート１０Ｄの上端辺ｄ（図７（ａ）参照。）は、バインダー付きノート１０Ｄを見開きの状態（図７（ｂ）参照。）とした場合においては、左側の上端辺を左側上端辺ｄ１とし、右側の上端辺を右側上端辺ｄ２とする。また、バインダー付きノート１０Ｄを閉じた状態とした場合のバインダー付きノート１０Ｄの下端辺ｂは、バインダー付きノート１０Ｄを見開きの状態（図７（ｂ）参照。）とした場合においては、左側の下端辺を左側下端辺ｅ１とし、右側の下端辺を右側下端辺ｅ２とする。
【００８３】
また、バインダー付きノート１０Ｄを閉じた状態とした場合のバインダー付きノート１０Ｄの横端辺ｆ（図７（ａ）参照。）は、バインダー付きノート１０Ｄを見開きの状態（図７（ｂ）参照。）とした場合においては、左側における横端辺を左側横端辺ｆ１とし、右側の横端辺を右側横端辺ｆ２とする。
【００８４】
また、ノート部２３の左ページ側用紙１１Ｌ及び右ページ側用紙１１Ｒは、図６に示したスパイラルノート１０Ｃの左ページ側用紙１１Ｌ及び右ページ側用紙１１Ｒと、孔の構成を除き同様の形状をなしている。なお、バインダー部２２の上端辺ｄ１，ｄ２及び下端辺ｅ１，ｅ２は、ノート部２３の上端辺ａ１，ａ２及び下端辺ｂ１，ｂ２と平行となっており、バインダー部２２の横端辺ｆ１，ｆ２は、ノート部２３の横端辺ｃ１，ｃ２と平行となっている。また、図７（ｂ）における角度θ１、θ２、θ３及びθ４は、ノート１０Ａと同様に設定されているものとする。
【００８５】
バインダー付きノート１０Ｄをこのような構成とすることによって、実施形態１に係るノート１０Ａ（図１参照。）と同様に、横罫線１２Ｌ，１２Ｒに沿って文字を書く場合、筆記者が右利きであっても、また、左利きであっても筆記者の肘や肩にかかる負担を少なくすることができ、長時間の筆記を行う場合にも疲労を少なくすることができる。
【００８６】
すなわち、図７に示すようなバインダー付きノート１０Ｄを用いて、右利きの筆記者が筆記する場合は、バインダー付きノート１０Ｄを図２（ａ）の場合と同様に机４の上（天板上）に置くことにより、右利きの筆記者の肘や肩にかかる負担を少なくすることができる。なお、右利きの筆記者の場合は、特に、左ページ側用紙１１Ｌに筆記する場合に、肘を中心として肘から筆記具の先端までを半径とする円弧を描くように筆記して行くことができるため、右利きの筆記者の肘や肩にかかる負担を少なくすることができ、長時間の筆記を行う場合にも疲労を少なくすることができる。
【００８７】
また、図７に示すようなバインダー付きノート１０Ｄを用いて、左利きの筆記者が筆記する場合は、バインダー付きノート１０Ｄを図２（ｂ）の場合と同様に机４の上（天板上）に置くことにより、左利きの筆記者の肘や肩にかかる負担を少なくすることができる。なお、左利きの筆記者の場合は、特に、右ページ側用紙１１Ｒに筆記する場合に、肘を中心として肘から筆記具の先端までを半径とする円弧を描くように筆記して行くことができるため、左利きの筆記者の肘や肩にかかる負担を少なくすることができ、長時間の筆記を行う場合にも疲労を少なくすることができる。
【００８８】
図８は、バインダー付きノート１０Ｄの変形例を説明するために示す図である。図８に示すバインダー付きノート１０Ｄは、バインダー部２２は、通常の矩形形状をなすバインダーであり、その他の構成は、図７と同様であるので、図７と同一部分には同一符号が付されている。図８に示すようなバインダー付きノートであっても、図７のバインダー付きノートと同様に扱うことができる。なお、この場合、右利きの筆記者が筆記を行う場合には、ノート部２３の右側上端辺ａ２が筆記者の視線方向に直交するように置いて筆記を行えばよく、また、左利きの筆記者が筆記を行う場合には、ノート部２３の左側上端辺ａ１が筆記者の視線方向に直交するように置いて筆記を行えばよい。
【００８９】
［実施形態５］
図９は、実施形態５に係る筆記用紙１０Ｅを説明するために示す図である。なお、実施形態１に係る筆記用紙１０Ｅは、外観形状が矩形の一般的なノートであり、また、図９はノートを「見開き」の状態とした場合を示す図である。なお、図９において、図１と同一部分には同一符号が付されている。
【００９０】
実施形態５に係る筆記用紙１０Ｅ（ノート１０Ｅという。）は、図９に示すように、見開きの状態としたときの左ページ１１Ｌには左側筆記領域１４Ｌが存在し、右ページ１１Ｒには右側筆記領域１４Ｒが存在している。そして、左側筆記領域１４Ｌには直線で形成される横罫線１２Ｌが設けられ、右側筆記領域１４Ｒには直線で形成される横罫線１２Ｒが設けられている。
【００９１】
左ページ１１Ｌの横罫線１２Ｌは、左ページ１１Ｌと右ページ１１Ｒとの境界線となるページ境界線１３に向かって斜め右上がりとなるように設けられ、右ページ１１Ｒの横罫線１２Ｒは、ページ境界線１３から斜め右下がりとなるように設けられている。また、図９における角度θ１及びθ２は、図１と同様に設定されているものとする。
【００９２】
ノート１０Ｅをこのような構成とすることによって、実施形態１に係るノート１０Ａ（図１参照。）と同様に、横罫線１２Ｌ，１２Ｒに沿って文字を書く場合、筆記者が右利きであっても、また、左利きであっても筆記者の肘や肩にかかる負担を少なくすることができ、長時間の筆記を行う場合にも疲労を少なくすることができる。
【００９３】
なお、図９に示すようなノート１０Ｅを用いて、図２（ａ）に示すように、右利きの筆記者が筆記する場合は、筆記者２の視線方向が机４の正面側の端辺４ａと直交する方向であるとすれば、ノート１０Ｅの右側筆記用紙１４Ｒの罫線１２Ｒが机４の正面側の端辺４ａと平行となるようにノート１０Ｅを机４の上（天板上）に置いて筆記を行えばよく、また、左利きの筆記者が筆記を行う場合には、ノート１０Ｅの左側筆記用紙１４Ｌの罫線１２Ｌが机４の正面側の端辺４ａと平行となるようにノート１０Ｅを机４の上（天板上）に置いて筆記を行えばよい。
【００９４】
なお、本発明は上記各実施形態に限られるものではなく、本発明の要旨を逸脱しない範囲で種々変形実施可能となるものである。たとえば、下記（１）〜（６）に示すような変形実施も可能である。
【００９５】
（１）上記各実施形態においては、筆記用紙をそれぞれ見開きの状態としたとき、左ページ側用紙１１Ｌ又は右ページ側用紙１１Ｒの両方に横罫線が設けられている場合を例示したが、必ずしも左ページ側用紙１１Ｌ又は右ページ側用紙１１Ｒの両方に横罫線が設けられている必要はない。例えば、左ページ側用紙のみに横罫線が設けられていて、右ページ側用紙は空白部となっているものであってもよく、また、それとは逆に、右ページ側用紙のみに横罫線が設けられていて、左ページ側用紙は空白部となっているものであってもよい。
【００９６】
図１０は、筆記用紙を見開きの状態としたときに左ページ側用紙１１Ｌ又は右ページ側用紙１１Ｒの一方のみに横罫線が設けられている例（変形例１又は変形例２）を示す図である。なお、図１０は、図１に示すノート１０Ａの場合を例にとって示すものであり、図１０（ａ）は左ページ側用紙１１Ｌのみに横罫線１２Ｌが設けられていて、右ページ側用紙１１Ｒは空白部２５となっている場合を示し、図１０（ｂ）は右ページ側用紙１１Ｒのみに横罫線１２Ｒが設けられていて、左ページ側用紙１１Ｌは空白部２５となっている場合を示している。なお、図１０において、図１と同一部分には同一符号が付されている。
【００９７】
図１０（ａ）又は図１０（ｂ）に示すようなノート１０Ａであっても、当該ノート１０Ａを図２（ａ）又は図２（ｂ）に示すように机４の上（天板上）に置いて筆記することにより、筆記者が右利きであっても、また、左利きの筆記者であっても、各筆記者の肘や肩にかかる負担を少なくすることができ、長時間の筆記を行う場合にも疲労を少なくすることができる。
【００９８】
（２）上記実施形態１においては、左ページ側用紙１１Ｌの一部領域に左側筆記領域１４Ｌが配置され、右ページ側用紙１１Ｒの一部領域に右側筆記領域１４Ｒが配置されている場合を例示したが、本発明はこれに限定されるものではない。図１１は、変形例３に係る筆記用紙１０Ｆを説明するために示す図である。図１１に示すように、左ページ側用紙１１Ｌのほぼ全領域に左側筆記領域１４Ｌが配置され、右ページ側用紙１１Ｒのほぼ全領域に右側筆記領域１４Ｒが配置されていてもよい。
【００９９】
（３）上記実施形態５においては、長方形状の左ページ側用紙１１Ｌのほぼ全域に長方形状の左側筆記領域１４Ｌが配置され、当該左側筆記領域１４Ｌの一部領域に左ページの横罫線１２Ｌが作成されるとともに、長方形状の右ページ側用紙１１Ｒのほぼ全域に長方形状の右側筆記領域１４Ｒが配置され、当該左側筆記領域１４Ｒの一部領域に右ページの横罫線１２Ｒが作成されている場合を例示したが、本発明はこれに限定されるものではない。図１２は、変形例４に係る筆記用紙１０Ｇを説明するために示す図である。図１２に示すように、長方形状の左ページ側用紙１１Ｌの一部領域に長方形状の左側筆記領域１４Ｌが傾斜して配置され、当該左側筆記領域１４Ｌのほぼ全域に左ページの横罫線１２Ｌが作成されるとともに、長方形状の右ページ側用紙１１Ｒの一部領域に長方形状の右側筆記領域１４Ｒが傾斜して配置され、当該左側筆記領域１４Ｒのほぼ全域に右ページの横罫線１２Ｒが作成されていてもよい。
【０１００】
（４）上記実施形態１においては、左側筆記領域１４Ｌ及び右側筆記領域１４ＲがＢ５企画の形状及びサイズを有する筆記用紙を例示したが、本発明はこれに限定されるものではない。図１３は、変形例５に係る筆記用紙１０Ｈを説明するために示す図である。図１３に示すように、左ページ側用紙１１Ｌ及び右ページ側用紙１１Ｒが黄金比形状（Ｌｃ／Ｌｂ≒１．６１８）を有する筆記用紙（例えば筆記用紙１０Ｈ）であってもよい。
【０１０１】
（５）上記実施形態１においては、左上隅が鋭角である筆記用紙を例示したが、本発明はこれに限定されるものではない。図１４は、変形例６に係る筆記用紙１０Ｉを説明するために示す図である。図１５は、変形例７に係る筆記用紙１０Ｊを説明するために示す図である。図１６は、変形例８に係る筆記用紙１０Ｋを説明するために示す図である。図１４に示すように左上隅が直角である筆記用紙（例えば筆記用紙１０Ｉ）であってもよいし、左上隅が鈍角である筆記用紙であってもよい。また、図１５又は図１６に示すように、左上隅が丸い形状を有する筆記用紙（例えば筆記用紙１０Ｊ，１０Ｋ）であってもよい。
【０１０２】
（６）上記各実施形態では、筆記用紙として、ノート（一般的なノート）、カルテ、スパイラルノート及びバインダー付きノートを例示したが、これに限られるものではなく、横書き用として用いる筆記用紙であれば本発明を適用することができる。
【符号の説明】
【０１０３】
１０Ａ，１０Ｅ、１０Ｆ，１０Ｇ，１０Ｈ，１０Ｉ，１０Ｊ，１０Ｋ・・・筆記用紙（ノート）、１０Ｂ・・・筆記用紙（カルテ）、１０Ｃ・・・筆記用紙（スパイラルノート）、１０Ｄ・・・筆記用紙（バインダー付きノート）、１１Ｌ・・・左ページ側用紙、１１Ｒ・・・右ページ側用紙、１２Ｌ・・・左ページの横罫線、１２Ｒ・・・右ページの横罫線、１３…ページ境界線、１４Ｌ・・・左側筆記領域、１４Ｒ・・・右側筆記領域、１５・・・ミシン目、１６・・・バインダー用綴じ孔、２１・・・綴じ具、２２・・・バインダー部、２３・・・ノート部、２４・・・開閉自在綴じ具、３１…切り欠き部
【要約】
【課題】罫線に沿って横書きする場合、長時間の筆記を行う場合にも疲労を少なくすることができ、かつ、見た目に好ましく、また、書いた内容を読む場合にも読みやすくする。
【解決手段】見開き状態としたときに左ページ側用紙１１Ｌ及び右ページ側用紙１１Ｒには左側筆記領域１４Ｌ及び右側筆記領域１４Ｒが形成され、少なくとも左側筆記領域１４Ｌには横書き用罫線１２Ｌを有する筆記用紙であって、左ページ側用紙１１Ｌ及び右ページ側用紙１１Ｒは、各上端辺ａ１，ａ２と各下端辺ｂ１，ｂ２とが平行で上端辺の長さＬａが下端辺の長さＬｂよりも長く形成され、かつ、ページ境界線１３から斜め左下がり方向及び斜め右下がり方向にそれぞれ形成され、罫線１２Ｌは直線で形成され、かつ、ページ境界線１３から斜め左下がり方向に形成されている。
【選択図】図１【図１】
0004796207.tif 000002
【図２】
0004796207.tif 000003
【図３】
0004796207.tif 000004
【図４】
0004796207.tif 000005
【図５】
0004796207.tif 000006
【図６】
0004796207.tif 000007
【図７】
0004796207.tif 000008
【図８】
0004796207.tif 000009
【図９】
0004796207.tif 000010
【図１０】
0004796207.tif 000011
【図１１】
0004796207.tif 000012
【図１２】
0004796207.tif 000013
【図１３】
0004796207.tif 000014
【図１４】
0004796207.tif 000015
【図１５】
0004796207.tif 000016
【図１６】
0004796207.tif 000017
【図１７】
0004796207.tif 000018
【図１８】
0004796207.tif 000019